(57)【要約】【課題】誤った通報を低減させることができる貯水槽監視装置を得る。【解決手段】貯水槽１の異常を検出する異常検出装置２１と、貯水槽１の異常を異常検出装置２１が検出した場合に、貯水槽１に異常が発生したことを情報センタ５に通報する通報装置２３とを備えた貯水槽監視装置２であって、緊急地震速報を受信する緊急地震速報受信装置２４と、緊急地震速報受信装置２４が緊急地震速報を受信した場合に、通報装置２３から情報センタ５への通報を抑止する通報抑止装置２５とを備え、通報抑止装置２５は、通報装置２３から情報センタ５への通報が抑止されている場合に、通報装置２３から情報センタ５への通報が抑止された後の異常検出装置２１の検出結果を用いて、通報装置２３から情報センタ５への通報の抑止を解除する。【選択図】図１
2018055420.tif 000002
【特許請求の範囲】
【請求項１】
貯水槽の異常を検出する異常検出装置と、前記貯水槽の異常を前記異常検出装置が検出した場合に、前記貯水槽に異常が発生したことを外部に通報する通報装置とを備えた貯水槽監視装置であって、
緊急地震速報を受信する緊急地震速報受信装置と、
前記緊急地震速報受信装置が前記緊急地震速報を受信した場合に、前記通報装置から前記外部への通報を抑止する通報抑止装置と
を備え、
前記通報抑止装置は、前記通報装置から前記外部への通報が抑止されている場合に、前記通報装置から前記外部への通報が抑止された後の前記異常検出装置の検出結果を用いて、前記通報装置から前記外部への通報の抑止を解除する貯水槽監視装置。
【請求項２】
前記通報抑止装置は、前記通報装置から前記外部への通報が抑止された後の前記異常検出装置の検出結果を用いて前記貯水槽に貯留されている水の揺れの有無を判定し、前記水の揺れが無いと判定する場合に前記通報装置から前記外部への通報の抑止を解除する請求項１に記載の貯水槽監視装置。
【請求項３】
前記通報抑止装置は、前記通報装置から前記外部への通報が抑止されてから予め設定された時間が経過した後の前記異常検出装置の検出結果を用いて前記貯水槽に貯留されている水における単位時間当たりの揺れの程度を算出し、算出した前記揺れの程度に対応して前記通報装置から前記外部への通報を抑止する時間である抑止時間を決定する請求項１に記載の貯水槽監視装置。
【請求項４】
前記通報装置は、前記通報抑止装置による前記外部への通報の抑止が解除された場合に、前記通報抑止装置による前記外部への通報の抑止が解除された後の前記貯水槽の状態情報を前記外部に通報する請求項１から請求項３までの何れか一項に記載の貯水槽監視装置。
【請求項５】
前記通報装置から前記外部への通報が可能であるか否かを判定する通報可能判定装置をさらに備え、
前記通報装置は、前記通報装置から前記外部への通報の抑止が解除された場合に、前記通報可能判定装置の判定結果に基づいて、前記貯水槽の状態情報を前記外部に通報する請求項４に記載の貯水槽監視装置。
【請求項６】
貯水槽の異常を検出する異常検出装置が前記貯水槽の異常を検出した場合に、前記貯水槽に異常が発生したことを通報装置が外部に通報する貯水槽監視方法であって、
緊急地震速報を受信した場合に、前記通報装置から前記外部への通報を抑止する通報抑止工程と、
前記通報抑止工程の後、前記通報装置から前記外部への通報が抑止された後の前記異常検出装置の検出結果を用いて、前記通報装置から前記外部への通報の抑止を解除する通報抑止解除工程と
を備えている貯水槽監視方法。
【発明の詳細な説明】
【技術分野】
【０００１】
この発明は、貯水槽の異常を検出する場合に、貯水槽が異常であることを外部に通報する貯水槽監視装置および貯水槽監視方法に関する。
【背景技術】
【０００２】
従来、貯水槽の異常を検出する異常検出装置と、貯水槽の異常を異常検出装置が検出した場合に、貯水槽に異常が発生したことを情報センタに通報する通報装置とを備えた貯水槽監視装置であって、緊急地震速報を受信する緊急地震速報受信装置と、緊急地震速報受信装置が緊急地震速報を受信した場合、緊急地震速報の受信時から予め設定された時間が経過するまでの間、通報装置から情報センタへの通報を抑止する通報抑止装置とを備えた貯水槽監視装置が知られている（例えば、特許文献１参照）。
【先行技術文献】
【特許文献】
【０００３】
【特許文献１】特開２０１３−２１０７９４号公報
【発明の概要】
【発明が解決しようとする課題】
【０００４】
しかしながら、貯水槽に貯留されている水が地震の発生によって揺れる時間は、発生した地震の規模によって異なるので、通報装置から情報センタへの通報を抑止する時間を水の揺れる時間に対応させることができない。その結果、誤った通報が発生してしまうという問題点があった。
【０００５】
この発明は、誤った通報を低減させることができる貯水槽監視装置および貯水槽監視方法を提供するものである。
【課題を解決するための手段】
【０００６】
この発明に係る貯水槽監視装置は、貯水槽の異常を検出する異常検出装置と、貯水槽の異常を異常検出装置が検出した場合に、貯水槽に異常が発生したことを外部に通報する通報装置とを備えた貯水槽監視装置であって、緊急地震速報を受信する緊急地震速報受信装置と、緊急地震速報受信装置が緊急地震速報を受信した場合に、通報装置から外部への通報を抑止する通報抑止装置とを備え、通報抑止装置は、通報装置から外部への通報が抑止されている場合に、通報装置から外部への通報が抑止された後の異常検出装置の検出結果を用いて、通報装置から外部への通報の抑止を解除する。
【発明の効果】
【０００７】
この発明に係る貯水槽監視装置によれば、緊急地震速報を受信する緊急地震速報受信装置と、緊急地震速報受信装置が緊急地震速報を受信した場合に、通報装置から外部への通報を抑止する通報抑止装置とを備え、通報抑止装置は、通報装置から外部への通報が抑止されている場合に、通報装置から外部への通報が抑止された後の異常検出装置の検出結果を用いて、通報装置から外部への通報の抑止を解除するので、通報装置から情報センタへの通報を抑止する時間を貯水槽に溜められた水の揺れる時間に対応させることができる。その結果、誤った通報を低減させることができる。
【図面の簡単な説明】
【０００８】
【図１】この発明の実施の形態１に係る貯水槽監視システムを示すブロック図である。
【図２】図１の貯水槽監視装置における通報装置から情報センタへの通報の抑止を示すフローチャートである。
【発明を実施するための形態】
【０００９】
実施の形態１．
図１はこの発明の実施の形態１に係る貯水槽監視システムを示すブロック図である。図において、貯水槽監視システムは、ビルに設置され水が貯留される貯水槽１と、貯水槽１を監視する貯水槽監視装置２と、緊急地震速報を発信する緊急地震速報発信装置３と、貯水槽１に異常が発生した場合に、貯水槽監視装置２が通信回線４を介して通報する外部である情報センタ５とを備えている。図１では、１つの貯水槽１を示しているが、貯水槽監視装置２は複数の貯水槽１を監視している。また、図１では、１つの貯水槽監視装置２を示しているが、複数の貯水槽監視装置２が通信回線４を介して情報センタ５に通報可能となっている。貯水槽１としては、受水槽、高架水槽などが挙げられる。貯水槽監視装置２の通報先は、情報センタ５に限らず、その他であってもよい。
【００１０】
貯水槽監視装置２は、貯水槽１に設けられ貯水槽１の異常を検出する異常検出装置２１と、貯水槽１の異常の有無を判定する異常判定装置２２とを有している。
【００１１】
異常検出装置２１は、貯水槽１の水位センサから構成されている。異常検出装置２１は、貯水槽１に異常が発生している間、貯水槽１に異常が発生していることを連続して検出する。また、異常検出装置２１は、貯水槽１に異常が発生していることを検出する間、異常信号を異常判定装置２２に連続して送信する。異常判定装置２２には、判定時間が予め設定されている。
【００１２】
異常判定装置２２は、異常信号を連続して受信する時間が判定時間を越えた場合に、貯水槽１に異常が発生していると判定する。この例では、異常判定装置２２には、判定時間として、１０秒間が予め設定されている。なお、判定時間は、１０秒間に限らず、その他の時間であってもよい。
【００１３】
また、貯水槽監視装置２は、貯水槽１に異常が発生していると異常判定装置２２が判定した場合に、情報センタ５に通報する通報装置２３と、緊急地震速報発信装置３が発信する緊急地震速報を受信する緊急地震速報受信装置２４と、通報装置２３から情報センタ５への通報を抑止する通報抑止装置２５と、通報装置２３から情報センタ５への通報が可能であるか否かを判定する通報可能判定装置２６とを有している。
【００１４】
通報抑止装置２５は、緊急地震速報受信装置２４が緊急地震速報を受信した場合に、通報装置２３から情報センタ５への通報を抑止する。また、通報抑止装置２５は、異常検出装置２１の検出結果を用いて、通報装置２３から情報センタ５への通報の抑止を解除する。
【００１５】
具体的には、通報抑止装置２５は、通報装置２３から情報センタ５への通報が抑止されている場合に、通報装置２３から情報センタ５への通報が抑止された後の異常検出装置２１の検出結果を用いて貯水槽１に貯留されている水の揺れの有無を判定する。通報抑止装置２５による水の揺れの有無の判定は、通報装置２３から情報センタ５への通報の抑止が開始された時から予め設定された時間である抑止解除時間だけ、断続的に行われる。通報抑止装置２５は、通報装置２３から情報センタ５への通報の抑止が開始された時から抑止解除時間が経過する前に貯水槽１の水の揺れが無いと判定する場合に、通報装置２３から情報センタ５への通報の抑止が開始された時から抑止解除時間が経過する前に、通報装置２３から情報センタ５への通報の抑止を解除する。また、通報抑止装置２５は、通報装置２３から情報センタ５への通報の抑止が開始された時から抑止解除時間が経過しても貯水槽１の水の揺れがあると判定する場合に、通報装置２３から情報センタ５への通報の抑止が開始された時から抑止解除時間が経過した後に通報装置２３から情報センタ５への通報の抑止を解除する。この例では、抑止解除時間として、３０分間が予め設定されている。なお、抑止解除時間は、３０分間に限らず、その他の時間であってもよい。
【００１６】
異常判定装置２２は、通報装置２３から情報センタ５への通報の抑止が解除された場合に、通報抑止装置２５による情報センタ５への通報の抑止が解除された後の貯水槽１の状態情報を異常検出装置２１から取得する。貯水槽１の状態情報とは、貯水槽１に異常が発生しているか否かの情報である。異常判定装置２２が取得した貯水槽１の状態情報は、通報装置２３に送られる。
【００１７】
通報可能判定装置２６は、通信回線４が輻輳しているか否かに基づいて、通報装置２３から情報センタ５への通報が可能であるか否かを判定する。通報装置２３は、通報装置２３から情報センタ５への通報の抑止が解除された場合に、通報可能判定装置２６の判定結果に基づいて、貯水槽１の状態情報を情報センタ５に通報する。具体的には、通報装置２３から情報センタ５への通報の抑止が解除された場合であって、通報装置２３から情報センタ５への通報が可能であると判定された場合に、通報装置２３は、貯水槽１の状態情報を情報センタ５に通報する。通報可能判定装置２６は、異常検出装置２１に電気的に接続されている。通報可能判定装置２６には、異常検出装置２１の検出結果が送られるようになっている。
【００１８】
次に、貯水槽監視装置２の動作について説明する。図２は図１の貯水槽監視装置２における通報装置２３から情報センタ５への通報の抑止を示すフローチャートである。まず、ステップＳ１０１において、緊急地震速報受信判定工程を行う。緊急地震速報受信判定工程では、緊急地震速報受信装置２４が、緊急地震速報発信装置３が発信する緊急地震速報を受信したか否かを判定する。ステップＳ１０１で、緊急地震速報を受信していないと判定されると、ステップＳ１０１が繰り返される。
【００１９】
一方、ステップＳ１０１で、緊急地震速報を受信したと判定されると、ステップＳ１０２において、通報抑止工程を行う。通報抑止工程では、通報抑止装置２５が、通報装置２３から情報センタ５への通報を抑止する。
【００２０】
その後、ステップＳ１０３において、揺れ有無判定工程を行う。揺れ有無判定工程では、通報抑止装置２５が、異常検出装置２１の検出結果を用いて、貯水槽１に貯留されている水の揺れの有無を判定する。
【００２１】
ステップＳ１０３で、貯水槽１に貯留されている水に揺れがあると判定されると、ステップＳ１０４において、抑止解除時間経過判定工程を行う。抑止解除時間経過判定工程では、通報抑止装置２５が、通報装置２３から情報センタ５への通報の抑止が開始された時から抑止解除時間が経過したか否かを判定する。ステップＳ１０４で、通報装置２３から情報センタ５への通報の抑止が開始された時から抑止解除時間が経過していないと判定されと、ステップＳ１０３が繰り返される。ステップＳ１０３の繰り返しは、断続的に行われる。
【００２２】
一方、ステップＳ１０３で、貯水槽１に貯留されている水に揺れが無いと判定されると、ステップＳ１０５において、通報抑止解除工程を行う。通報抑止解除工程では、通報抑止装置２５が、通報装置２３から情報センタ５への通報の抑止を解除する。
【００２３】
ステップＳ１０５の後、ステップＳ１０６において、通報可能判定工程を行う。通報可能判定工程では、通報可能判定装置２６が、通報装置２３から情報センタ５への通報が可能であるか否かを判定する。ステップＳ１０６で、通報装置２３から情報センタ５への通報が可能ではないと判定されると、ステップＳ１０６が繰り返される。
【００２４】
一方、ステップＳ１０６で、通報装置２３から情報センタ５への通報が可能であると判定されると、ステップＳ１０７において、状態情報通報工程を行う。状態情報通報工程では、通報抑止装置２５による情報センタ５への通報の抑止が解除された後の貯水槽１の状態情報を、異常検出装置２１を介して異常判定装置２２が取得し、取得された貯水槽１の状態情報を通報装置２３が情報センタ５に通報する。
【００２５】
ステップＳ１０４において、通報装置２３から情報センタ５への通報の抑止が開始された時から抑止解除時間が経過したと判定されると、ステップＳ１０５に進む。以上により、貯水槽監視装置２の動作が終了する。
【００２６】
以上説明したように、この発明の実施の形態１に係る貯水槽監視装置２によれば、貯水槽１の異常を検出する異常検出装置２１と、貯水槽１の異常を異常検出装置２１が検出した場合に、貯水槽１に異常が発生したことを情報センタ５に通報する通報装置２３とを備えた貯水槽監視装置２であって、緊急地震速報を受信する緊急地震速報受信装置２４と、緊急地震速報受信装置２４が緊急地震速報を受信した場合に、通報装置２３から情報センタ５への通報を抑止する通報抑止装置２５とを備え、通報抑止装置２５は、通報装置２３から情報センタ５への通報が抑止されている場合に、通報装置２３から情報センタ５への通報が抑止された後の異常検出装置２１の検出結果を用いて、通報装置２３から情報センタ５への通報の抑止を解除するので、通報装置２３から情報センタ５への通報を抑止する時間を貯水槽１に溜められた水の揺れる時間に対応させることができる。その結果、誤った通報を低減させることができる。
【００２７】
また、通報抑止装置２５は、通報装置２３から情報センタ５への通報が抑止された後の異常検出装置２１の検出結果を用いて貯水槽１に貯留されている水の揺れの有無を判定し、水の揺れが無いと判定する場合に通報装置２３から情報センタ５への通報の抑止を解除するので、貯水槽１に貯留されている水の揺れの有無を判定する装置を新たに備えることなく、貯水槽１に貯留されている水の揺れの有無を判定して、水の揺れが無いと判定する場合に通報装置２３から情報センタ５への通報の抑止を解除することができる。その結果、より簡単な構成で、水の揺れが無いと判定する場合に通報装置２３から情報センタ５への通報の抑止を解除することができる。
【００２８】
また、通報装置２３は、通報抑止装置２５による情報センタ５への通報の抑止が解除された場合に、通報抑止装置２５による情報センタ５への通報の抑止が解除された後の貯水槽１の状態情報を情報センタ５に通報するので、貯水槽監視装置２と情報センタ５との間で、登録されている貯水槽１の状態情報を一致させることができる。
【００２９】
また、この貯水槽監視装置２は、通報装置２３から情報センタ５への通報が可能であるか否かを判定する通報可能判定装置２６を備え、通報装置２３は、通報装置２３から情報センタ５への通報の抑止が解除された場合に、通報可能判定装置２６の判定結果に基づいて、貯水槽１の状態情報を情報センタ５に通報するので、地震が発生して通信回線４が輻輳している場合に通報装置２３から情報センタ５へ通報されることを防止し、通信回線４の輻輳が解消された後に通報装置２３から情報センタ５へ通報させることができる。これにより、より確実に通報装置２３から情報センタ５へ通報することができる。
【００３０】
また、この発明の実施の形態１に係る貯水槽監視方法によれば、貯水槽１の異常を検出する異常検出装置２１が貯水槽１の異常を検出した場合に、貯水槽１に異常が発生したことを通報装置２３が情報センタ５に通報する貯水槽監視方法であって、緊急地震速報を受信した場合に、通報装置２３から情報センタ５への通報を抑止する通報抑止工程と、通報抑止工程の後、通報装置２３から情報センタ５への通報が抑止された後の異常検出装置２１の検出結果を用いて、通報装置２３から情報センタ５への通報の抑止を解除する通報抑止解除工程とを備えているので、通報装置２３から情報センタ５への通報を抑止する時間を貯水槽１に溜められた水の揺れる時間に対応させることができる。その結果、誤った通報を低減させることができる。
【００３１】
なお、上記実施の形態１では、通報抑止装置２５は、異常検出装置２１の検出結果を用いて貯水槽１の揺れの有無を判定し、貯水槽１の揺れが無いと判定する場合に通報装置２３から情報センタ５への通報の抑止を解除する構成について説明したが、これに限らず、通報抑止装置２５は、通報装置２３から情報センタ５への通報が抑止されてから予め設定された時間が経過した後の異常検出装置２１の検出結果を用いて貯水槽１に貯留されている水における単位時間当たりの揺れの程度を算出し、貯水槽１に貯留されている水における単位時間当たりの揺れの程度に対応して通報装置２３から情報センタ５への通報を抑止する時間である抑止時間を決定する構成であってもよい。
【符号の説明】
【００３２】
１  貯水槽、２  貯水槽監視装置、３  緊急地震速報発信装置、４  通信回線、５  情報センタ、２１  異常検出装置、２２  異常判定装置、２３  通報装置、２４  緊急地震速報受信装置、２５  通報抑止装置、２６  通報可能判定装置。
【図１】
2018055420.tif 000003
【図２】
2018055420.tif 000004